(57)【特許請求の範囲】
【請求項１】
ロウ電極およびコラム電極に電圧を印加することにより、コレステリック液晶の状態を変化させて情報を表示する表示手段と、
前記ロウ電極に電圧を印加するロウドライバと、
前記コラム電極に電圧を印加するコラムドライバと、
前記ロウドライバに供給される第１の基準電圧を、前記コレステリック液晶の状態をプレーナ状態とするために必要な両極性電圧の絶対値よりも大きな電圧値である第１の電圧と、０Ｖとで選択的に切り替えるロウドライバ基準電圧切り替え手段と、
前記コラムドライバに供給される第２の基準電圧を、前記第１の電圧と、０Ｖとで選択的に切り替えるコラムドライバ基準電圧切り替え手段と、
前記ロウドライバおよび前記コラムドライバの動作、並びに、前記ロウドライバ基準電圧切り替え手段および前記コラムドライバ基準電圧切り替え手段を制御する制御手段と
を備え、
前記ロウドライバに供給される駆動電圧は前記コレステリック液晶の状態をフォーカルコニック状態とするために必要な両極性電圧の絶対値よりも小さな電圧値である第２の電圧を絶対値とする第１の両極性駆動電圧であり、
前記コラムドライバに供給される駆動電圧は前記コレステリック液晶の状態をフォーカルコニック状態とするために必要な両極性電圧の絶対値よりも小さな電圧値である第３の電圧を絶対値とする第２の両極性駆動電圧であり、
前記第２の電圧と前記第３の電圧との和は、前記コレステリック液晶の状態をフォーカルコニック状態とするために必要な電圧値よりも大きな電圧値であり、
前記制御手段は、
前記コレステリック液晶をプレーナ状態とする場合、
前記ロウドライバ基準電圧切り替え手段を制御して、前記第１の基準電圧を０Ｖとし、前記コラムドライバ基準電圧切り替え手段を制御して、前記第２の基準電圧を０Ｖとした後、前記ロウ電極に前記第１の基準電圧を印加させ、前記コラム電極に前記第２の基準電圧を印加させるように、前記ロウドライバおよび前記コラムドライバを制御し、
その後、前記ロウドライバ基準電圧切り替え手段および前記コラムドライバ基準電圧切り替え手段を制御して、前記第１の基準電圧を、所定の時間において前記第１の電圧となるように切り替えさせて、前記ロウ電極に、前記第１の電圧を所定の時間幅で印加させ、前記第２の基準電圧を、所定の時間において前記第１の電圧となるように切り替えさせて、前記コラム電極に、前記第１の電圧を所定の時間幅で印加させ、
前記コレステリック液晶の所望の部分をフォーカルコニック状態とするために、前記ロウドライバ基準電圧切り替え手段および前記コラムドライバ基準電圧切り替え手段を制御して、前記第１の基準電圧および前記第２の基準電圧をそれぞれ０Vに切り替えさせるとともに、前記ロウドライバおよび前記コラムドライバを制御して、前記コレステリック液晶への前記第１の両極性駆動電圧および前記第２の両極性駆動電圧の供給を制御する
ことを特徴とする表示装置。
【請求項２】
前記ロウドライバは、前記第１の両極性駆動電圧の供給を受け、
前記コラムドライバは、前記第２の両極性駆動電圧の供給を受け、
前記制御手段は、前記コレステリック液晶の所望の部分をフォーカルコニック状態とする場合、前記ロウドライバを制御して、前記ロウ電極に前記第１の両極性駆動電圧を順次走査印加させ、前記コラムドライバを制御して、前記コラム電極に、前記ロウ電極に走査印加された前記第１の両極性駆動電圧とは逆極性の前記第２の両極性駆動電圧を選択的に印加させる
ことを特徴とする請求項１に記載の表示装置。
【請求項３】
ロウ電極およびコラム電極に電圧を印加することにより、コレステリック液晶に情報を表示する表示部を備える表示装置の表示方法において、
前記ロウ電極に電圧を印加するロウドライバに、第１の基準電圧として０Ｖを供給するとともに、前記ロウドライバから前記ロウ電極への前記第１の基準電圧の印加を開始する第１の基準電圧印加ステップと、
前記コラム電極に電圧を印加するコラムドライバに、第２の基準電圧として０Ｖを供給するとともに、前記コラムドライバから前記コラム電極への前記第２の基準電圧の印加を開始する第２の基準電圧印加ステップと、
前記コレステリック液晶をプレーナ状態とするために、前記ロウドライバに印加される前記第１の基準電圧を制御して、０Ｖから、前記コレステリック液晶の状態をプレーナ状態とするために必要な両極性電圧の絶対値よりも大きな電圧値である第１の電圧に切り替える第１の基準電圧制御ステップと、
前記コレステリック液晶をプレーナ状態とするために、前記コラムドライバに印加される前記第２の基準電圧を制御して、０Ｖから、前記第１の電圧に切り替える第２の基準電圧制御ステップと、
前記ロウドライバに印加される前記第１の基準電圧を制御して、前記第１の電圧から０Vに切り替えるとともに、前記コラムドライバに印加される前記第２の基準電圧を制御して、前記第１の電圧から０Vに切り替える第３の基準電圧制御ステップと、
前記コレステリック液晶の所望の部分をフォーカルコニック状態とするために、前記ロウドライバから前記ロウ電極への前記第１の基準電圧の印加を終了させ、前記コラムドライバから前記コラム電極への前記第２の基準電圧の印加を終了させるとともに、前記ロウドライバから前記ロウ電極に第１の両極性駆動電圧を順次走査印加させ、前記コラムドライバから前記コラム電極に、前記ロウ電極に走査印加された前記第１の両極性駆動電圧とは逆極性の第２の両極性駆動電圧を選択的に印加させることにより、前記表示部への前記情報の表示を制御する表示制御ステップと
を含み、
前記ロウドライバに供給される駆動電圧は前記コレステリック液晶の状態をフォーカルコニック状態とするために必要な両極性電圧の絶対値よりも小さな電圧値である第２の電圧を絶対値とする前記第１の両極性駆動電圧であり、
前記コラムドライバに供給される駆動電圧は前記コレステリック液晶の状態をフォーカルコニック状態とするために必要な両極性電圧の絶対値よりも小さな電圧値である第３の電圧を絶対値とする前記第２の両極性駆動電圧であり、
前記第２の電圧と前記第３の電圧との和は、前記コレステリック液晶の状態をフォーカルコニック状態とするために必要な電圧値よりも大きな電圧値である
ことを特徴とする表示方法。
【請求項４】
コレステリック液晶により構成される液晶表示素子を駆動する液晶駆動回路において、
前記液晶表示素子のロウ電極に電圧を印加するロウドライバと、
前記液晶表示素子のコラム電極に電圧を印加するコラムドライバと、
前記ロウドライバに供給される第１の基準電圧を、前記コレステリック液晶の状態をプレーナ状態とするために必要な両極性電圧の絶対値よりも大きな電圧値である第１の電圧と、０Ｖとで選択的に切り替えるロウドライバ基準電圧切り替え手段と、
前記コラムドライバに供給される第２の基準電圧を、前記第１の電圧と、０Ｖとで選択的に切り替えるコラムドライバ基準電圧切り替え手段と、
前記ロウドライバおよび前記コラムドライバの動作、並びに、前記ロウドライバ基準電圧切り替え手段および前記コラムドライバ基準電圧切り替え手段を制御する制御手段と
を備え、
前記ロウドライバに供給される駆動電圧は前記コレステリック液晶の状態をフォーカルコニック状態とするために必要な両極性電圧の絶対値よりも小さな電圧値である第２の電圧を絶対値とする第１の両極性駆動電圧であり、
前記コラムドライバに供給される駆動電圧は前記コレステリック液晶の状態をフォーカルコニック状態とするために必要な両極性電圧の絶対値よりも小さな電圧値である第３の電圧を絶対値とする第２の両極性駆動電圧であり、
前記第２の電圧と前記第３の電圧との和は、前記コレステリック液晶の状態をフォーカルコニック状態とするために必要な電圧値よりも大きな電圧値であり、
前記制御手段は、
前記コレステリック液晶をプレーナ状態とする場合、
前記ロウドライバ基準電圧切り替え手段を制御して、前記第１の基準電圧を０Ｖとし、前記コラムドライバ基準電圧切り替え手段を制御して、前記第２の基準電圧を０Ｖとした後、前記ロウ電極に前記第１の基準電圧を印加させ、前記コラム電極に前記第２の基準電圧を印加させるように、前記ロウドライバおよび前記コラムドライバを制御し、
その後、前記ロウドライバ基準電圧切り替え手段および前記コラムドライバ基準電圧切り替え手段を制御して、前記第１の基準電圧を、所定の時間において前記第１の電圧となるように切り替えさせて、前記ロウ電極に、前記第１の電圧を所定の時間幅で印加させ、前記第２の基準電圧を、所定の時間において前記第１の電圧となるように切り替えさせて、前記コラム電極に、前記第１の電圧を所定の時間幅で印加させ、
前記コレステリック液晶の所望の部分をフォーカルコニック状態とするために、前記ロウドライバ基準電圧切り替え手段および前記コラムドライバ基準電圧切り替え手段を制御して、前記第１の基準電圧および前記第２の基準電圧をそれぞれ０Vに切り替えさせるとともに、前記ロウドライバおよび前記コラムドライバを制御して、前記コレステリック液晶への前記第１の両極性駆動電圧および前記第２の両極性駆動電圧の供給を制御する
ことを特徴とする液晶駆動回路。
【請求項５】
前記ロウドライバは、前記第１の両極性駆動電圧の供給を受け、
前記コラムドライバは、前記第２の両極性駆動電圧の供給を受け、
前記制御手段は、前記コレステリック液晶の所望の部分をフォーカルコニック状態とする場合、前記ロウドライバを制御して、前記ロウ電極に前記第１の両極性駆動電圧を順次走査印加させ、前記コラムドライバを制御して、前記コラム電極に、前記ロウ電極に走査印加された前記第１の両極性駆動電圧とは逆極性の前記第２の両極性駆動電圧を選択的に印加させる
ことを特徴とする請求項４に記載の液晶駆動回路。
【請求項６】
ロウ電極およびコラム電極に電圧を印加することにより、コレステリック液晶により構成される液晶表示素子を駆動する液晶駆動回路の液晶駆動方法において、
前記ロウ電極に電圧を印加するロウドライバに、第１の基準電圧として０Ｖを供給するとともに、前記ロウドライバから前記ロウ電極への前記第１の基準電圧の印加を開始する第１の基準電圧印加ステップと、
前記コラム電極に電圧を印加するコラムドライバに、第２の基準電圧として０Ｖを供給するとともに、前記コラムドライバから前記コラム電極への前記第２の基準電圧の印加を開始する第２の基準電圧印加ステップと、
前記コレステリック液晶をプレーナ状態とするために、前記ロウドライバに印加される前記第１の基準電圧を制御して、０Ｖから、前記コレステリック液晶の状態をプレーナ状態とするために必要な両極性電圧の絶対値よりも大きな電圧値である第１の電圧に切り替える第１の基準電圧制御ステップと、
前記コレステリック液晶をプレーナ状態とするために、前記コラムドライバに印加される前記第２の基準電圧を制御して、０Ｖから、前記第１の電圧に切り替える第２の基準電圧制御ステップと、
前記ロウドライバに印加される前記第１の基準電圧を制御して、前記第１の電圧から０Vに切り替えるとともに、前記コラムドライバに印加される前記第２の基準電圧を制御して、前記第１の電圧から０Vに切り替える第３の基準電圧制御ステップと、
前記コレステリック液晶の所望の部分をフォーカルコニック状態とするために、前記ロウドライバから前記ロウ電極への前記第１の基準電圧の印加を終了させ前記コラムドライバから前記コラム電極への前記第２の基準電圧の印加を終了させるとともに、前記ロウドライバから前記ロウ電極への、第１の両極性駆動電圧の順次走査印加を制御し、前記コラムドライバから前記コラム電極への、前記ロウ電極に走査印加された前記第１の両極性駆動電圧とは逆極性の第２の両極性駆動電圧の選択的な印加を制御する駆動電圧印加制御ステップと
を含み、
前記ロウドライバに供給される駆動電圧は前記コレステリック液晶の状態をフォーカルコニック状態とするために必要な両極性電圧の絶対値よりも小さな電圧値である第２の電圧を絶対値とする前記第１の両極性駆動電圧であり、
前記コラムドライバに供給される駆動電圧は前記コレステリック液晶の状態をフォーカルコニック状態とするために必要な両極性電圧の絶対値よりも小さな電圧値である第３の電圧を絶対値とする前記第２の両極性駆動電圧であり、
前記第２の電圧と前記第３の電圧との和は、前記コレステリック液晶の状態をフォーカルコニック状態とするために必要な電圧値よりも大きな電圧値である
ことを特徴とする液晶駆動方法。
【発明の詳細な説明】
【０００１】
【発明の属する技術分野】
本発明は、表示装置および表示方法、並びに、液晶駆動回路および液晶駆動方法に関し、特に、コレステリック液晶を用いて情報を表示する場合に用いて好適な、表示装置および表示方法、並びに、液晶駆動回路および液晶駆動方法に関する。
【０００２】
【従来の技術】
液晶表示装置には、例えば、単純マトリクス方式のＴＮ（Twisted Nematic）液晶やＳＴＮ（Super Twisted Nematic）液晶、アクティブマトリクス方式を利用したＴＦＴ（Thin Film Transistor）液晶やＭＩＭ（Metal In Metal）液晶などが利用されている。
【０００３】
単純マトリクス方式は、格子状にX電極、Y電極を配置し、これらの電極をタイミングよくON／OFFすることで交点部の液晶を駆動するものである。単純マトリクス方式を用いた液晶表示装置は、電極が少なく、構造も単純なため製造が容易で歩留りが高いので、アクティブマトリクス方式を利用した製品に比べて一般に価格が安いが、画素を構成する液晶セルの電極が独立していないため、電圧が干渉して周りのセルに影響を及ぼしてしまい、画素の１つ１つをクリアに表示しにくい。一方、アクティブマトリクス方式は、単純マトリクス方式に対し、画素ごとにオン、オフを切り替えて（画素の１つ１つに対応するアクティブ素子を追加して、液晶を駆動することにより）表示するものである。アクティブマトリクス方式は、単純マトリクス方式に比べて反応速度が速く、残像が少なく、また視野角も広いなど性能の点では優れているが、製造コストが高い。
【０００４】
これらの液晶を利用した表示装置において、情報の表示を保持するためには、液晶に電圧を印加し続ける必要がある。液晶に一定期間電圧が印加された場合、「焼き付き」と称される残像現象が発生する。焼き付きを防ぐためには、例えば、所定周期で画素電極に印加される電圧を反転させるフレーム反転技術などが用いられる。フレーム反転などの極性反転技術が採用された場合、信号線に印加される電圧の振幅は、方極性で駆動される場合と比較して、２倍必要となる。そこで、信号線に印加される電圧振幅を半減させるために、コモン反転技術などが用いられている。
【０００５】
以上説明した液晶表示装置に対して、コレステリック液晶を用いた液晶表示装置では、印加電圧によって状態が遷移し（プレーナ状態とフォーカルコニック状態）、これを利用して、情報を表示し、更に、一度表示された情報を、電源の供給なしに保持することが可能である（例えば、非特許文献１参照）。
【０００６】
【非特許文献１】
日刊工業新聞社発行、「液晶デバイスハンドブック」、１９８９年９月２９日発行、第３５２頁乃至第３５５頁
【０００７】
コレステリック液晶は、プレーナ状態では、液晶螺旋層の間隔に対応した波長の光を選択的に反射し、フォーカルコニック状態では、ほぼ透明となる。
【０００８】
図１および図２を用いて、コレステリック液晶パネル１の構成について説明する。図１は、コレステリック液晶パネル１の断面図であり、図２は、コレステリック液晶パネル１の２つの電極の構成について説明するための図である。
【０００９】
ガラス基板１１−１には、透明コラム電極（ＩＴＯ：Indium Tin Oxide）１２が、ストライプ状に蒸着（または、スパッタリング）され、ガラス基板１１−２には、透明ロウ電極（ＩＴＯ：Indium Tin Oxide）１５が、ストライプ状に蒸着（または、スパッタリング）されている。ガラス基板１１−１およびガラス基板１１−２の透明コラム電極１２および透明ロウ電極１５が蒸着（または、スパッタリング）された側の面には、それぞれ、膜厚数μｍ程度のポリイミド層１３−１および１３−２が形成される。
【００１０】
このように電極が設けられたガラス基板１１−１およびガラス基板１１−２は、透明コラム電極１２と透明ロウ電極１５のそれぞれのストライプがクロスし、ポリイミド層１３−１およびポリイミド層１３−２を介して対面するように、ギャップ材などにより、ギャップ厚数μｍ（例えば、５μｍ程度）で張り合わされる。そして、ガラス基板１１−１およびガラス基板１１−２のギャップ間に、例えば、真空注入法などで、コレステリック液晶が注入されて、コレステリック液晶膜１４が形成される。
【００１１】
コレステリック液晶パネル１は、例えば、一般的に用いられるＴＮ（Twisted Nematic）液晶などのように、ポリイミド層を配向させたり、偏光板をガラス基板の上に設けたりする必要がない。
【００１２】
コレステリック液晶は、分子構造として、特殊なヘリカル構造（らせん構造）を持っており、印加された両極性パルス電圧の値によって、ヘリカル構造が変化するために、状態が変化する。図３に示されるように、コレステリック液晶は、印加される両極性パルス電圧の値によって、フォーカルコニック状態およびプレーナ状態の、安定した２つの状態をとることができる。プレーナ状態は、光の特定波長帯域を干渉散乱する状態であり、フォーカルコニック状態は、光を広帯域にわたって透過する状態である。
【００１３】
したがって、コレステリック液晶パネル１においては、プレーナ状態において反射される波長帯域に基づいて決定される第１の色と、フォーカルコニック状態において透明である場合に液晶を透過して見える第２の色によって、情報を表示することができる。すなわち、コレステリック液晶パネル１においては、例えば、コレステリック液晶が、プレーナ状態において特定波長帯域の光を乱反射するようにし、コレステリック液晶層１４の下を黒色にして、フォーカルコニック状態において、その黒色が透過して見えるようにすることにより、特定波長色と黒のモノトーン表示を行うことが可能となる。
【００１４】
図３に示されるように、コレステリック液晶の状態をプレーナ状態に変化させるために必要な両極性パルス電圧の電圧値Ｖｐｓは、フォーカルコニック状態に変化させるために必要な両極性パルス電圧の電圧値Ｖｆｓの、ほぼ２倍の電圧値である。
【００１５】
コレステリック液晶は、所定の画素電極に、両極性パルス電圧が印加されて、フォーカルコニック状態、または、プレーナ状態になると、その後、電圧の印加を受けなければ、その状態を保持することができる。そして、コレステリック液晶は、再び、両極性パルス電圧が印加された場合、その電圧値によって、必要に応じて、状態を再度変化させることができる。すなわち、コレステリック液晶を用いたコレステリック液晶パネル１は、両極性パルス電圧の印加によって表示された情報を、その後の電源の供給を受けることなく保持することが可能である。
【００１６】
図４は、コレステリック液晶パネル１の所定の画素の表示を変更させる場合に画素電極に印加される駆動電圧波形の例である。フォーカルコニック状態において、所定の画素電極に、電圧Ｖｐｓの両極性パルスが印加された場合、プレーナ状態となるので、表示色は第１の色となり、プレーナ状態において、所定の画素電極に、電圧Ｖｆｓの両極性パルスが印加された場合、フォーカルコニック状態となるので、表示色は、第１の色から第２の色に変更される。
【００１７】
コレステリック液晶パネル１においては、例えば、パネルの全面に電圧値Ｖｐｓの両極性パルスを印加することにより、表示面全体をプレーナ状態として、表示されている情報を一旦リセットした後、必要な位置の画素電極に電圧値Ｖｆｓの両極性パルスを印加して、フォーカルコニック状態に状態を変化させることにより、所定の情報を表示し、その後、電圧をかけないことにより、表示された情報を保持することができる。
【００１８】
図５は、コレステリック液晶パネル１を駆動するための、従来の液晶駆動回路２１の構成例を示すブロック図である。ここでは、コレステリック液晶パネル１は、ｎ×ｍ画素の情報を表示するものとして説明する。
【００１９】
コラムドライバ３１は、クロック（ＣＬＫ）信号およびコレステリック液晶パネル１に表示させる情報を示すデータ（ＤＡＴＡ）信号の供給を受けるとともに、駆動電圧±Ｖ２およびＧＮＤ（０Ｖ）と接続され、コレステリック液晶パネル１の透明コラム電極１２のコラム（信号）電極Ｙ１乃至Ｙｎに、図７を用いて後述する所定のタイミングで、所定の電圧を印加するドライバである。
【００２０】
ロウドライバ３２は、クロック（ＣＬＫ）信号の供給を受けるとともに、駆動電圧±Ｖ１およびコラムドライバ３１に供給されているＧＮＤと共通のＧＮＤと接続され、コレステリック液晶パネル１の透明ロウ電極１５のロウ（走査）電極Ｘ１乃至Ｘｍに、図７を用いて後述する所定のタイミングで、所定の電圧を印加するドライバである。
【００２１】
ここで、駆動電圧Ｖ１と駆動電圧Ｖ２とは、Ｖ１＋Ｖ２＞Ｖｐｓを満たす電圧値である。
【００２２】
次に、３×３の９画素を２色で表示（特定波長色と黒の２色であり、例えば、特定波長色が白である場合、白と黒との２色で表示）する場合の具体例について説明する。
【００２３】
例えば、図６に示されるように、３×３の９画素のうち、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素を黒に、他の３画素を特定波長色に表示する場合について説明する。特定波長色の表示は、プレーナ状態のコレステリック液晶により、特定波長色の光が干渉散乱されている状態であり、黒の表示は、フォーカルコニック状態の透明なコレステリック液晶を透過して、黒色が表示されている状態である。
【００２４】
図７および図８は、コラムドライバ３１およびロウドライバ３２の動作を説明するためのタイミングチャートである。図７は、コレステリック液晶１に、図６に示されるような３×３の９画素の情報を表示させるために、コラムドライバ３１がコラム電極Ｘ１乃至Ｘ３に印加する両極性パルスの電圧とタイミング、および、ロウドライバ３２がロウ電極Ｙ１乃至Ｙ３に印加する両極性パルスの電圧とタイミングを説明するためのタイミングチャートであり、図８は、図７を用いて説明した印加電圧によって、３×３の９画素（Ｘ１，Ｙ１）乃至（Ｘ３，Ｙ３）の画素電極間（透明コラム電極１２と、透明ロウ電極１５との交点となる電極間）に印加される両極性パルスを説明するためのタイミングチャートである。
【００２５】
まず、現在保持されている情報をリセットするため、図７に示されるように、コラム電極Ｙ１乃至Ｙ３には、電圧Ｖ１の両極性パルスが印加され、ロウ電極Ｘ１乃至Ｘ３には、電圧−Ｖ２の両極性パルスが印加される。したがって、図８に示されるように、画素（Ｘ１，Ｙ１）乃至（Ｘ３，Ｙ３）に対応するそれぞれの画素電極間には、Ｖ１＋Ｖ２の両極性パルスが印加される。ここで、Ｖ１＋Ｖ２＞Ｖｐｓであるので、透明コラム電極１２と透明ロウ電極１５の２つの電極間のコレステリック液晶層１４は、プレーナ状態となり、特定波長光を干渉散乱する。すなわち、画素（Ｘ１，Ｙ１）乃至（Ｘ３，Ｙ３）は、全て特定波長色の表示となる（以下、全プレーナリセットと称する）。
【００２６】
その後、図７に示されるように、ロウドライバ３２は、ロウ電極Ｘ１から、順次、ロウ電極Ｘ２、ロウ電極Ｘ３と、電圧Ｖ３の両極性パルスを走査印加することで、いずれかのロウ電極を選択する。そして、コラムドライバ３１は、ロウ電極の選択タイミングに対応して、コラム電極Ｙ１乃至コラム電極Ｙ３に、選択的に逆特性の両極性パルス−Ｖ４を印加する。ここで、Ｖ３＋Ｖ４＞Ｖｆｓであり、Ｖ１＞Ｖ３かつＶ２＞Ｖ４であるものとする。
【００２７】
ロウ電極およびコラム電極に同一タイミングで両極性パルスが印加された画素電極に対応する（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素には、図８に示されるように、Ｖ３＋Ｖ４＞Ｖｆｓの両極性パルス電圧が印加されるので、対応する画素位置の透明コラム電極１２と透明ロウ電極１５の２つの電極間のコレステリック液晶層１４は、フォーカルコニック状態となり、透明となる。すなわち、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素は、黒で表示される。
【００２８】
また、Ｖ３＋Ｖ４＞Ｖｆｓであり、電圧値Ｖｐｓは、電圧値Ｖｆｓの、ほぼ２倍の電圧値であるので、Ｖ１＋Ｖ２＞Ｖ３＋Ｖ４が成立する。
【００２９】
このようにして、コレステリック液晶パネル１の表示を、一旦、全プレーナリセットした後、任意の画素を特定波長色から黒に反転して、情報を表示することが可能となる。
【００３０】
【発明が解決しようとする課題】
図５を用いて説明した液晶駆動回路２１のコラムドライバ３１およびロウドライバ３２がコレステリック液晶パネル１を駆動するために必要な駆動電圧は、Ｖ１＝Ｖ２とした場合に最も低くなり、（Ｖ１＋Ｖ２）／２となる。したがって、コラムドライバ３１およびロウドライバ３２の耐圧は、（Ｖ１＋Ｖ２）／２以上でなければならない。
【００３１】
プレーナ状態に状態を変更するための両極性パルス電圧Ｖｐｓおよびフォーカルコニック状態に状態を変更するための両極性パルス電圧Ｖｆｓは、電極間のギャップ厚によって異なるが、例えば、ギャップ厚が５μｍである場合、Ｖｐｓ＝４０Ｖ、Ｖｆｓ＝２０Ｖ程度が必要である。したがって、コラムドライバ３１およびロウドライバ３２は、Ｖ１＋Ｖ２＞Ｖｐｓを満たすためには、それぞれ、２０Ｖ程度の耐圧が必要となってしまう。
【００３２】
コレステリック液晶を駆動するための、駆動回路の小型化および低コスト化が非常に困難であった。
【００３３】
本発明はこのような状況に鑑みてなされたものであり、コレステリック液晶を駆動するためにドライバに駆動電圧として供給される電圧値を下げることができるようにするものである。
【００３４】
【課題を解決するための手段】
本発明の表示装置は、ロウ電極およびコラム電極に電圧を印加することにより、コレステリック液晶の状態を変化させて情報を表示する表示手段と、ロウ電極に電圧を印加するロウドライバと、コラム電極に電圧を印加するコラムドライバと、ロウドライバに供給される第１の基準電圧（例えば、ＧＮＤｒ）を、コレステリック液晶の状態をプレーナ状態とするために必要な両極性電圧の絶対値よりも大きな電圧値（例えば、Ｖ１＋Ｖ２）である第１の電圧と、０Ｖとで選択的に切り替えるロウドライバ基準電圧切り替え手段と、コラムドライバに供給される第２の基準電圧（例えば、ＧＮＤｃ）を、第１の電圧（例えば、Ｖ１＋Ｖ２）と、０Ｖとで選択的に切り替えるコラムドライバ基準電圧切り替え手段と、ロウドライバおよびコラムドライバの動作、並びに、ロウドライバ基準電圧切り替え手段およびコラムドライバ基準電圧切り替え手段を制御する制御手段とを備え、ロウドライバに供給される駆動電圧はコレステリック液晶の状態をフォーカルコニック状態とするために必要な両極性電圧の絶対値よりも小さな電圧値である第２の電圧（例えば、Ｖ３）を絶対値とする第１の両極性駆動電圧であり、コラムドライバに供給される駆動電圧はコレステリック液晶の状態をフォーカルコニック状態とするために必要な両極性電圧の絶対値よりも小さな電圧値である第３の電圧（例えば、Ｖ４）を絶対値とする第２の両極性駆動電圧であり、第２の電圧と第３の電圧との和は、コレステリック液晶の状態をフォーカルコニック状態とするために必要な電圧値よりも大きな電圧値であり、制御手段は、コレステリック液晶をプレーナ状態とする場合、ロウドライバ基準電圧切り替え手段を制御して、第１の基準電圧を０Ｖとし、コラムドライバ基準電圧切り替え手段を制御して、第２の基準電圧を０Ｖとした後、ロウ電極に第１の基準電圧を印加させ、コラム電極に第２の基準電圧を印加させるように、ロウドライバおよびコラムドライバを制御し、その後、ロウドライバ基準電圧切り替え手段およびコラムドライバ基準電圧切り替え手段を制御して、第１の基準電圧を、所定の時間において第１の電圧となるように切り替えさせて、ロウ電極に、第１の電圧を所定の時間幅で印加させ、第２の基準電圧を、所定の時間において第１の電圧となるように切り替えさせて、コラム電極に、第１の電圧を所定の時間幅で印加させ、コレステリック液晶の所望の部分をフォーカルコニック状態とするために、ロウドライバ基準電圧切り替え手段およびコラムドライバ基準電圧切り替え手段を制御して、第１の基準電圧および第２の基準電圧をそれぞれ０Vに切り替えさせるとともに、ロウドライバおよびコラムドライバを制御して、コレステリック液晶への第１の両極性駆動電圧および第２の両極性駆動電圧の供給を制御することを特徴とする。
【００３５】
ロウドライバには、第１の両極性駆動電圧の供給を受けさせるようにすることができ、コラムドライバには、第２の両極性駆動電圧の供給を受けさせるようにすることができ、制御手段には、コレステリック液晶をフォーカルコニック状態とする場合、ロウドライバを制御させて、ロウ電極に第１の両極性駆動電圧を順次走査印加させ、コラムドライバを制御して、コラム電極に、ロウ電極に走査印加された第１の両極性駆動電圧とは逆極性の第２の両極性駆動電圧を選択的に印加させるようにすることができる。
【００３８】
本発明の表示方法は、ロウ電極に電圧を印加するロウドライバに、第１の基準電圧（例えば、ＧＮＤｒ）として０Ｖを供給するとともに、ロウドライバからロウ電極への第１の基準電圧の印加を開始する第１の基準電圧印加ステップと、コラム電極に電圧を印加するコラムドライバに、第２の基準電圧（例えば、ＧＮＤｃ）として０Ｖを供給するとともに、コラムドライバからコラム電極への第２の基準電圧の印加を開始する第２の基準電圧印加ステップと、コレステリック液晶をプレーナ状態とするために、ロウドライバに印加される第１の基準電圧を制御して、０Ｖから、コレステリック液晶の状態をプレーナ状態とするために必要な両極性電圧の絶対値よりも大きな電圧値（例えば、Ｖ１＋Ｖ２）である第１の電圧に切り替える第１の基準電圧制御ステップと、コレステリック液晶をプレーナ状態とするために、コラムドライバに印加される第２の基準電圧を制御して、０Ｖから、第１の電圧（例えば、Ｖ１＋Ｖ２）に切り替える第２の基準電圧制御ステップと、コレステリック液晶の所望の部分をフォーカルコニック状態とするために、ロウドライバに印加される第１の基準電圧を制御して、第１の電圧から０Vに切り替えるとともに、コラムドライバに印加される第２の基準電圧を制御して、第１の電圧から０Vに切り替える第３の基準電圧制御ステップと（例えば、図１２のＳ７）、コレステリック液晶の所望の部分をフォーカルコニック状態とするために、ロウドライバからロウ電極への第１の基準電圧の印加を終了させ、コラムドライバからコラム電極への前記第２の基準電圧の印加を終了させるとともに、ロウドライバからロウ電極に第１の両極性駆動電圧を順次走査印加させ、コラムドライバからコラム電極に、ロウ電極に走査印加された第１の両極性駆動電圧とは逆極性の第２の両極性駆動電圧を選択的に印加させることにより、表示部への情報の表示を制御する表示制御ステップとを含み、ロウドライバに供給される駆動電圧はコレステリック液晶の状態をフォーカルコニック状態とするために必要な両極性電圧の絶対値よりも小さな電圧値である第２の電圧（例えば、Ｖ３）を絶対値とする第１の両極性駆動電圧であり、コラムドライバに供給される駆動電圧はコレステリック液晶の状態をフォーカルコニック状態とするために必要な両極性電圧の絶対値よりも小さな電圧値である第３の電圧（例えば、Ｖ４）を絶対値とする第２の両極性駆動電圧であり、第２の電圧と第３の電圧との和は、コレステリック液晶の状態をフォーカルコニック状態とするために必要な電圧値よりも大きな電圧値であることを特徴とする。
【００４１】
本発明の表示装置および表示方法においては、ロウ電極に印加される基準電圧が制御されて、０Ｖから、コレステリック液晶の状態をプレーナ状態とするために必要な両極性電圧の絶対値よりも大きな電圧値（例えば、Ｖ１＋Ｖ２）である第１の電圧に切り替えられ、コラム電極に印加される基準電圧が制御されて、０Ｖから、第１の電圧（例えば、Ｖ１＋Ｖ２）に切り替えられて、コレステリック液晶がプレーナ状態に変更される。
【００４２】
本発明の液晶駆動回路は、液晶表示素子のロウ電極に電圧を印加するロウドライバと、液晶表示素子のコラム電極に電圧を印加するコラムドライバと、ロウドライバに供給される第１の基準電圧（例えば、ＧＮＤｒ）を、コレステリック液晶の状態をプレーナ状態とするために必要な両極性電圧の絶対値よりも大きな電圧値（例えば、Ｖ１＋Ｖ２）である第１の電圧と、０Ｖとで選択的に切り替えるロウドライバ基準電圧切り替え手段と、コラムドライバに供給される第２の基準電圧（例えば、ＧＮＤｃ）を、第１の電圧（例えば、Ｖ１＋Ｖ２）と、０Ｖとで選択的に切り替えるコラムドライバ基準電圧切り替え手段と、ロウドライバおよびコラムドライバの動作、並びに、ロウドライバ基準電圧切り替え手段およびコラムドライバ基準電圧切り替え手段を制御する制御手段とを備え、ロウドライバに供給される駆動電圧はコレステリック液晶の状態をフォーカルコニック状態とするために必要な両極性電圧の絶対値よりも小さな電圧値である第２の電圧（例えば、Ｖ３）を絶対値とする第１の両極性駆動電圧であり、コラムドライバに供給される駆動電圧はコレステリック液晶の状態をフォーカルコニック状態とするために必要な両極性電圧の絶対値よりも小さな電圧値である第３の電圧（例えば、Ｖ４）を絶対値とする第２の両極性駆動電圧であり、第２の電圧と第３の電圧との和は、コレステリック液晶の状態をフォーカルコニック状態とするために必要な電圧値よりも大きな電圧値であり、制御手段は、コレステリック液晶をプレーナ状態とする場合、ロウドライバ基準電圧切り替え手段を制御して、第１の基準電圧を０Ｖとし、コラムドライバ基準電圧切り替え手段を制御して、第２の基準電圧を０Ｖとした後、ロウ電極に第１の基準電圧を印加させ、コラム電極に第２の基準電圧を印加させるように、ロウドライバおよびコラムドライバを制御し、その後、ロウドライバ基準電圧切り替え手段およびコラムドライバ基準電圧切り替え手段を制御して、第１の基準電圧を、所定の時間において第１の電圧となるように切り替えさせて、ロウ電極に、第１の電圧を所定の時間幅で印加させ、第２の基準電圧を、所定の時間において第１の電圧となるように切り替えさせて、コラム電極に、第１の電圧を所定の時間幅で印加させ、コレステリック液晶の所望の部分をフォーカルコニック状態とするために、ロウドライバ基準電圧切り替え手段およびコラムドライバ基準電圧切り替え手段を制御して、第１の基準電圧および第２の基準電圧をそれぞれ０Vに切り替えさせるとともに、ロウドライバおよびコラムドライバを制御して、コレステリック液晶への第１の両極性駆動電圧および第２の両極性駆動電圧の供給を制御することを特徴とする。
ロウドライバには、第１の両極性駆動電圧の供給を受けさせるようにすることができ、コラムドライバには、第２の両極性駆動電圧の供給を受けさせるようにすることができ、制御手段には、コレステリック液晶をフォーカルコニック状態とする場合、ロウドライバを制御させて、ロウ電極に第１の両極性駆動電圧を順次走査印加させ、コラムドライバを制御して、コラム電極に、ロウ電極に走査印加された第１の両極性駆動電圧とは逆極性の第２の両極性駆動電圧を選択的に印加させるようにすることができる。
【００４３】
本発明の液晶駆動方法は、ロウ電極に電圧を印加するロウドライバに、第１の基準電圧（例えば、ＧＮＤｒ）として０Ｖを供給するとともに、ロウドライバからロウ電極への第１の基準電圧の印加を開始する第１の基準電圧印加ステップと、コラム電極に電圧を印加するコラムドライバに、第２の基準電圧（例えば、ＧＮＤｃ）として０Ｖを供給するとともに、コラムドライバからコラム電極への第２の基準電圧の印加を開始する第２の基準電圧印加ステップと、コレステリック液晶をプレーナ状態とするために、ロウドライバに印加される第１の基準電圧を制御して、０Ｖから、コレステリック液晶の状態をプレーナ状態とするために必要な両極性電圧の絶対値よりも大きな電圧値（例えば、Ｖ１＋Ｖ２）である第１の電圧に切り替える第１の基準電圧制御ステップと、コレステリック液晶をプレーナ状態とするために、コラムドライバに印加される第２の基準電圧を制御して、０Ｖから、第１の電圧（例えば、Ｖ１＋Ｖ２）に切り替える第２の基準電圧制御ステップと、コレステリック液晶の所望の部分をフォーカルコニック状態とするために、ロウドライバに印加される第１の基準電圧を制御して、第１の電圧から０Vに切り替えるとともに、コラムドライバに印加される第２の基準電圧を制御して、第１の電圧から０Vに切り替える第３の基準電圧制御ステップと（例えば、図１２のＳ７）、コレステリック液晶の所望の部分をフォーカルコニック状態とするために、ロウドライバからロウ電極への第１の基準電圧の印加を終了させ、コラムドライバからコラム電極への前記第２の基準電圧の印加を終了させるとともに、ロウドライバからロウ電極への、第１の両極性駆動電圧の順次走査印加を制御し、コラムドライバからコラム電極への、ロウ電極に走査印加された第１の両極性駆動電圧とは逆極性の第２の両極性駆動電圧の選択的な印加を制御する駆動電圧印加制御ステップとを含み、ロウドライバに供給される駆動電圧はコレステリック液晶の状態をフォーカルコニック状態とするために必要な両極性電圧の絶対値よりも小さな電圧値である第２の電圧（例えば、Ｖ３）を絶対値とする第１の両極性駆動電圧であり、コラムドライバに供給される駆動電圧はコレステリック液晶の状態をフォーカルコニック状態とするために必要な両極性電圧の絶対値よりも小さな電圧値である第３の電圧（例えば、Ｖ４）を絶対値とする第２の両極性駆動電圧であり、第２の電圧と第３の電圧との和は、コレステリック液晶の状態をフォーカルコニック状態とするために必要な電圧値よりも大きな電圧値であることを特徴とする。
【００４６】
本発明の液晶駆動回路および液晶駆動方法においては、ロウ電極に印加される基準電圧が制御されて、０Ｖから、コレステリック液晶の状態をプレーナ状態とするために必要な両極性電圧の絶対値よりも大きな電圧値（例えば、Ｖ１＋Ｖ２）である第１の電圧に切り替えられ、コラム電極に印加される基準電圧が制御されて、０Ｖから、第１の電圧（例えば、Ｖ１＋Ｖ２）に切り替えられて、コレステリック液晶がプレーナ状態に変更される。
【００４７】
【発明の実施の形態】
以下、図を参照して、本発明の実施の形態について説明する。
【００４８】
図９は、コレステリック液晶パネル１を駆動するための、本発明を適用した液晶駆動回路４１の構成を示すブロック図である。コレステリック液晶パネル１と、液晶駆動回路４１と、図示しない電源供給部（例えば、バッテリなど）によって、液晶表示装置が構成される。
【００４９】
なお、従来の場合と対応する部分には同一の符号を付してあり、その説明は適宜省略する。
【００５０】
コレステリック液晶パネル１は、図１乃至図４を用いて説明した、従来のコレステリック液晶パネルと同様のものである。
【００５１】
すなわち、コレステリック液晶パネル１においては、画素電極間の電位差が、Ｖｐｓ以上となるような両極性パルスが印加された場合、その画素位置に対応する部分のコレステリック液晶がプレーナ状態となることにより、対応する画素が、プレーナ状態において反射される波長帯域に基づいて決定される第１の色で表示される。また、コレステリック液晶パネル１においては、画素電極間の電位差が、Ｖｆｓ以上となるような両極性パルスが印加された場合、その画素位置に対応する部分のコレステリック液晶がフォーカルコニック状態となることにより、対応する画素が、液晶を透過して見える第２の色で表示される。
【００５２】
ここでは、コレステリック液晶パネル１において、例えば、コレステリック液晶が、プレーナ状態において特定波長色の光を乱反射するようにし、コレステリック液晶層１４の下を黒色にして、透明状態において、その黒色が透過して見えるようにすることにより、特定波長色と黒のモノトーン表示を行うものとして説明するが、プレーナ状態において反射される波長帯域に基づいて決定される第１の色、すなわち、特定波長色は、例えば、緑、青、赤など、どのような色であってもかまわないし、液晶を透過して見える第２の色も、いずれの色であってもかまわない。
【００５３】
更に、プレーナ状態において、それぞれ異なる波長帯域を反射する複数のコレステリック液晶層１４を設けることなどにより、コレステリック液晶パネル１を用いて、多色の表示を可能とすることができるようにしても良いことは言うまでもない。
【００５４】
また、図３に示されるように、コレステリック液晶の状態をプレーナ状態に変化させるために必要な両極性パルス電圧の電圧値Ｖｐｓは、フォーカルコニック状態に変化させるために必要な両極性パルス電圧の電圧値Ｖｆｓの、ほぼ２倍の電圧値である。
【００５５】
コレステリック液晶パネル１は、例えば、パネルの全面に電圧値Ｖｐｓの両極性パルスを印加することにより、表示面全体をプレーナ状態として、表示されている情報をリセット（全プレーナリセット）した後、必要な位置の画素電極に電圧値Ｖｆｓの両極性パルスを印加して、フォーカルコニック状態に状態を変化させることにより、所定の情報を表示し、その後、電圧をかけないことにより、表示された情報を保持する。
【００５６】
コントローラ５１は、コラムドライバ５２およびロウドライバ５３を制御するとともに、コラムドライバ５２にクロック（ＣＬＫ）信号およびコレステリック液晶パネル１に表示させる情報を示すデータ（ＤＡＴＡ）を供給し、ロウドライバ５３にクロック（ＣＬＫ）信号を供給する。また、コントローラ５１は、スイッチ５４およびスイッチ５５の切り替えを制御して、コラムドライバ５２に供給される基準電圧であるＧＮＤｃおよびロウドライバ５３に接続される基準電圧であるＧＮＤｒの電圧値を、所定のタイミングで切り替える。
【００５７】
コラムドライバ５２は、コントローラ５１より、クロック（ＣＬＫ）信号およびコレステリック液晶パネル１に情報を表示させるためのデータ（ＤＡＴＡ）信号の供給を受けるとともに、駆動電圧±Ｖ４および基準電圧ＧＮＤｃと接続され、コントローラ５１の制御にしたがって、コレステリック液晶パネル１の透明コラム電極１２のコラム（信号）電極Ｙ１乃至Ｙｎに、図１０を用いて後述する所定のタイミングで、所定の電圧を印加するドライバである。
【００５８】
ロウドライバ５３は、コントローラ５１より、クロック（ＣＬＫ）信号の供給を受けるとともに、駆動電圧±Ｖ３および基準電圧ＧＮＤｒと接続され、コントローラ５１の制御にしたがって、コレステリック液晶パネル１の透明ロウ電極１５のロウ（走査）電極Ｘ１乃至Ｘｍに、図１０を用いて後述する所定のタイミングで、所定の電圧を印加するドライバである。
【００５９】
ここで、スイッチ５４およびスイッチ５５の切り替えにより、基準電圧ＧＮＤｃに接続される電圧（Ｖ１＋Ｖ２）および基準電圧ＧＮＤｒに接続される電圧（Ｖ１＋Ｖ２）は、Ｖ１＋Ｖ２＞Ｖｐｓを満たす電圧値である。また、コラムドライバ５２に供給される電圧Ｖ４およびロウドライバ５３に供給される電圧Ｖ３は、Ｖ３＋Ｖ４＞Ｖｆｓを満たし、Ｖｆｓ＞Ｖ３かつＶｆｓ＞Ｖ４を満たす電圧値である。
【００６０】
スイッチ５４およびスイッチ５５は、例えば、ＦＥＴ（Field Effect Transistor：電界効果トランジスタ）などのスイッチング素子で構成されている。スイッチ５４は、コントローラ５１の制御に基づいて、コラムドライバ５２に接続される基準電圧ＧＮＤｃの電圧値を、（Ｖ１＋Ｖ２）とＧＮＤ（０Ｖ）とで切り替える。スイッチ５５は、コントローラ５１の制御に基づいて、ロウドライバ５３に供給される基準電圧ＧＮＤｒの電圧値を、（Ｖ１＋Ｖ２）とＧＮＤ（０Ｖ）とで切り替える。
【００６１】
なお、スイッチ５４およびスイッチ５５には、コントローラ５１の制御に基づいて、コラムドライバ５２に接続されるＧＮＤｃの電圧値、または、ロウドライバ５３に供給されるＧＮＤｒの電圧値を切り替えることができるのであれば、ＦＥＴ以外のものを用いるようにしても良いことはもちろんである。
【００６２】
また、コントローラ５１には、必要に応じて、ドライブ５６が接続される。ドライブ５６には、磁気ディスク６１、光ディスク６２、光磁気ディスク６３、または、半導体メモリ６４が装着され、情報を授受できるようになされている。
【００６３】
図１０および図１１は、コレステリック液晶１に、現在表示されている情報を全プレーナリセットさせた後、図６に示されるような、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素が黒であり、他の画素が特定波長色である、３×３の９画素を表示させる場合の、コラムドライバ５２およびロウドライバ５３の動作を説明するためのタイミングチャートである。
【００６４】
図１０は、コレステリック液晶１に、現在表示されている情報を全プレーナリセットさせた後、図６に示されるような３×３の９画素の情報を表示させるために、コラムドライバ５２がコラム電極Ｘ１乃至Ｘ３に印加する両極性パルスの電圧とタイミング、および、ロウドライバ５３がロウ電極Ｙ１乃至Ｙ３に印加する両極性パルスの電圧とタイミングに加えて、スイッチ５４およびスイッチ５５の切り替えにより基準電圧ＧＮＤｃおよび基準電圧ＧＮＤｒに与えられる電圧とそのタイミングについて説明するためのタイミングチャートであり、図１１は、図１０を用いて説明した印加電圧によって、３×３の９画素（Ｘ１，Ｙ１）乃至（Ｘ３，Ｙ３）の、それぞれに印加される両極性パルスを説明するためのタイミングチャートである。
【００６５】
まず、コントローラ５１により、スイッチ５４およびスイッチ５５が制御され、コラムドライバ５２に供給されているＧＮＤｃ、および、ロウドライバ５３に供給されているＧＮＤｒは、ＧＮＤ（０Ｖ）となっている。
【００６６】
現在保持されている情報をリセットするためには、画素（Ｘ１，Ｙ１）乃至（Ｘ３，Ｙ３）のそれぞれに、Ｖｐｓ以上の電圧の両極性パルスが印加されなければならない。ロウドライバ５３は、コントローラ５１の制御に基づいて、ロウ電極Ｘ１乃至Ｘ３に、ＧＮＤｒを印加し、コラムドライバ５２は、コラム電極Ｙ１乃至Ｙ３に、ＧＮＤｃを印加する。そして、コントローラ５１は、図１０に示されるように、全プレーナリセットのため、スイッチ５５を制御して、所定の時間幅（両極性パルスの印加時間によって決まる時間幅）で、ＧＮＤｒに電圧（Ｖ１＋Ｖ２）を供給し、その次のタイミングで、スイッチ５４を制御して、所定の時間幅で、ＧＮＤｃに電圧（Ｖ１＋Ｖ２）を供給する。
【００６７】
したがって、ロウドライバ５３のロウ電極Ｘ１乃至Ｘ３への出力電圧は、図１０に示されるように、（Ｖ１＋Ｖ２）のパルス電圧となる。また、コラムドライバ５２のコラム電極Ｙ１乃至Ｙ３への出力電圧は、図１０に示されるように、（Ｖ１＋Ｖ２）のパルス電圧となり、その印加タイミングは、ロウ電極Ｘ１乃至Ｘ３にＧＮＤｒが印加された次のタイミングとなる。
【００６８】
これにより、図１１に示されるように、画素（Ｘ１，Ｙ１）乃至（Ｘ３，Ｙ３）のそれぞれに対応する画素電極間には、Ｖ１＋Ｖ２の両極性パルスが印加される。ここで、Ｖ１＋Ｖ２＞Ｖｐｓであるので、対応する画素位置の透明コラム電極１２と透明ロウ電極１５の２つの電極間のコレステリック液晶層１４は、プレーナ状態となり、特定波長光を干渉散乱する。すなわち、画素（Ｘ１，Ｙ１）乃至（Ｘ３，Ｙ３）の表示は、全て特定波長色となり、全プレーナリセット状態となる。
【００６９】
その後、ロウドライバ５３は、コントローラ５１の制御に基づいて、図１０に示されるように、ロウ電極Ｘ１から、ロウ電極Ｘ２、ロウ電極Ｘ３と、順次、電圧Ｖ３の両極性パルスを走査印加することで、いずれかのロウ電極を選択する。そして、コラムドライバ５２は、コントローラ５１の制御に基づいて、図１０に示されるように、ロウ電極の選択タイミングに対応して、コラム電極Ｙ１乃至コラム電極Ｙ３に、選択的に、逆特性の両極性パルス−Ｖ４を印加する。具体的には、コラムドライバ５２は、ロウ電極Ｘ１が選択されているとき、コラム電極Ｙ１およびコラム電極Ｙ２に逆特性の両極性パルス−Ｖ４を印加し、ロウ電極Ｘ２が選択されているとき、コラム電極Ｙ２およびコラム電極Ｙ３に逆特性の両極性パルス−Ｖ４を印加し、ロウ電極Ｘ３が選択されているとき、コラム電極Ｙ２およびコラム電極Ｙ３に逆特性の両極性パルス−Ｖ４を印加する。
【００７０】
ロウ電極およびコラム電極に同一タイミングで両極性パルスが印加された画素電極間には、図１１に示されるように、Ｖ３＋Ｖ４＞Ｖｆｓの両極性パルス電圧が印加されるので、対応する画素位置の透明コラム電極１２と透明ロウ電極１５の２つの電極間のコレステリック液晶層１４は、フォーカルコニック状態となり、透明となる。すなわち、選択された、（Ｘ１，Ｙ１）（Ｘ１，Ｙ２）（Ｘ２，Ｙ２）（Ｘ２，Ｙ３）（Ｘ３，Ｙ２）および（Ｘ３，Ｙ３）の６画素は、黒で表示され、他の画素の表示は、特定波長色のままとなる。
【００７１】
本発明を適用した液晶駆動回路４１においては、例えば、Ｖ３＝Ｖ４である場合、コラムドライバ５２およびロウドライバ５３の駆動電圧は、（Ｖ３＋Ｖ４）／２となる。Ｖ３＋Ｖ４＞Ｖｆｓであり、電圧値Ｖｐｓは、電圧値Ｖｆｓの、ほぼ２倍の電圧値であるので、（Ｖ３＋Ｖ４）≒１／２（Ｖ１＋Ｖ２）が成立する。したがって、本発明を適用した液晶駆動回路４１においては、従来における場合と比較して、コラムドライバ５２およびロウドライバ５３の駆動電圧を、ほぼ半分に抑えることが可能となる。
【００７２】
このようにして、本発明を適用した液晶駆動回路４１を備える液晶表示装置においては、ドライバに駆動電圧として供給される電圧を低く抑えつつ、表示をリセットして、任意の画素を特定波長色から黒に反転することが可能となる。
【００７３】
また、コレステリック液晶表示パネル１を駆動する液晶駆動回路のドライバ（ここでは、コラムドライバ５２およびロウドライバ５３）の駆動電圧が低くなることにより、ドライバに、パッケージの小さな素子を選択することが可能となるので、液晶表示装置の小型化が可能となる。
【００７４】
更に、コレステリック液晶表示パネル１を駆動する液晶駆動回路のドライバ（ここでは、コラムドライバ５２およびロウドライバ５３）の駆動電圧が低くなることにより、ドライバに電源を供給するためのバッテリに、電気二重層キャパシタを直列接続したものなどを利用することが可能となる（例えば、容量２．５Ｖの電気二重層キャパシタを複数直列接続したものを利用して、更に、電圧をステップアップすることにより、必要な電圧値の供給が十分可能である）ので、更に、液晶表示装置の小型化が可能となる。
【００７５】
また、本発明を適用することにより、コレステリック液晶表示パネル１を駆動する液晶駆動回路およびバッテリなどの電源供給部の小型化および低電圧駆動が実現されるので、本発明を適用した液晶駆動回路４１を備える液晶表示装置は、例えば、ＰＤＡ、時計、ＩＣカードなどの、小型の情報処理装置に用いられる表示装置として用いることができる。
【００７６】
次に、図１２のフローチャートを参照して、本発明を適用した液晶表示装置の液晶駆動回路４１の処理について説明する。
【００７７】
ステップＳ１において、コントローラ５１は、スイッチ５５を制御し、ロウドライバ５３に供給するＧＮＤｒをＧＮＤ、すなわち、０Ｖとする。
【００７８】
ステップＳ２において、コントローラ５１は、スイッチ５４を制御し、コラムドライバ５２に供給するＧＮＤｃをＧＮＤ、すなわち、０Ｖとする。
【００７９】
ステップＳ３において、コントローラ５１は、ロウドライバ５３を制御し、ロウドライバ５３の出力電圧を、ＧＮＤｒとする。
【００８０】
ステップＳ４において、コントローラ５１は、コラムドライバ５２を制御し、コラムドライバ５２の出力電圧を、ＧＮＤｃとする。
【００８１】
ステップＳ１乃至ステップＳ４の処理により、コレステリック液晶パネルの全ての画素位置に対応する透明コラム電極１２および透明ロウ電極１５には、０Ｖが供給されるので、全ての画素間電極の電位差は、０Ｖである。
【００８２】
ステップＳ５において、コントローラ５１は、スイッチ５５を制御し、ロウドライバ５３に供給するＧＮＤｒを、所定のパルス幅に対応する時間だけ、ＧＮＤから（Ｖ１＋Ｖ２）に切り替える。
【００８３】
ステップＳ６において、コントローラ５１は、スイッチ５４を制御し、コラムドライバ５２に供給するＧＮＤｃを、所定のパルス幅に対応する時間だけ、ＧＮＤから（Ｖ１＋Ｖ２）に切り替える。
【００８４】
ステップＳ５およびステップＳ６の処理により、コレステリック液晶パネル１の全ての画素電極（透明コラム電極１２と透明ロウ電極１５の全ての交点）において、Ｖ１＋Ｖ２の両極性パルス電圧が印加されるので、電圧印加前に保持されていた情報はリセットされる。
【００８５】
ステップＳ７において、コントローラ５１は、スイッチ５４およびスイッチ５５を制御し、ロウドライバ５３に供給するＧＮＤｒおよびコラムドライバ５２に供給するＧＮＤｃをＧＮＤとする。
【００８６】
ステップＳ７の処理により、コレステリック液晶パネル１の全ての画素位置に対応する透明コラム電極１２および透明ロウ電極１５には、再び、０Ｖが供給されるので、全ての画素間電極の電位差は、再度、０Ｖとなる。
【００８７】
ステップＳ８において、コントローラ５１は、ロウドライバ５３を制御して、ロウ電極に選択電圧Ｖ３を走査印加させるとともに、コラムドライバ５２を制御して、コラム電極に逆極性の両極性パルス−Ｖ４を、選択的に印加させて、コレステリック液晶パネルを駆動し、情報を表示させて、処理が終了される。
【００８８】
例えば、図１０を用いて後述する所定のタイミングで、コラムドライバ５２から、コレステリック液晶パネル１の透明コラム電極１２のコラム電極Ｙ１乃至Ｙｎに電圧が印加され、ロウドライバ５３から、透明ロウ電極１５のロウ電極Ｘ１乃至Ｘｍに電圧が印加された場合、画素（Ｘ１，Ｙ１）乃至（Ｘ３，Ｙ３）に対応するそれぞれの画素電極には、図１１に示される両極性パルス電圧が印加される。したがって、コレステリック液晶パネル１の３×３の９画素には、全プレーナリセットされた後、図６に示されるように、（Ｘ１，Ｙ１）（Ｘ１，Ｙ２）（Ｘ２，Ｙ２）（Ｘ２，Ｙ３）（Ｘ３，Ｙ２）（Ｘ３，Ｙ３）の６画素が黒で表示され、他の画素が特定波長色で表示される。
【００８９】
このような処理により、一度表示させた情報を、電源供給することなく保持することが可能なコレステリック液晶を利用した液晶表示装置において、全ての画素電極間のコレステリック液晶をプレーナ状態として全プレーナリセットするために必要な電極間電位差を、ロウドライバ５３およびコラムドライバ５２に供給されるＧＮＤｒおよびＧＮＤｃの電圧値を切り替えることにより発生させることができる。ＧＮＤｒおよびＧＮＤｃの電圧値を切り替えるためには、例えば、ＦＥＴなどで構成されるスイッチ５４およびスイッチ５５を用いるようにすることができる。
【００９０】
なお、ここでは、２色表示を行う場合について説明したが、本発明は、コレステリック液晶を利用した液晶表示装置において多色表示を行う場合にも適用可能であることは言うまでもない。
【００９１】
全プレーナリセット後の情報の表示においては、従来のコレステリック液晶を利用した液晶表示装置と同様の方法を用いるので、ロウドライバ５３およびコラムドライバ５２に求められる駆動電圧は、コレステリック液晶をフォーカルコニック状態にするために必要な画素電極間の電圧によって決まる。すなわち、本発明を適用した液晶駆動回路４１を備える液晶表示装置においては、ロウドライバ５３およびコラムドライバ５２に駆動電圧として供給される電圧を、従来における場合のほぼ半分とすることが可能となる。
【００９２】
したがって、本発明を適用した液晶駆動回路４１を備える液晶表示装置によれば、ドライバに駆動電圧として供給される電圧を低く抑えつつ、任意の画素を特定波長色から黒に反転することができ、コレステリック液晶表示パネル１を駆動する液晶駆動回路の小型化および低コスト化を実現することができる。
【００９３】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００９４】
この記録媒体は、図９に示すように、コンピュータとは別に、ユーザにプログラムを提供するために配布される、プログラムが記録されている磁気ディスク６１（フレキシブルディスクを含む）、光ディスク６２（CD-ROM（Compact Disk-Read Only Memory），DVD（Digital Versatile Disk）を含む）、光磁気ディスク６３（ＭＤ（Mini-Disk)（商標）を含む）、もしくは半導体メモリ６４などよりなるパッケージメディアなどにより構成される。
【００９５】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００９６】
【発明の効果】
このように、本発明によれば、液晶表示素子を用いた表示装置に情報を表示することができる。特に、コレステリック液晶を備える表示部の表示のリセットおよび情報の書き込みを、低い駆動電圧で行うことができる。
【００９７】
また、他の本発明によれば、液晶表示素子を駆動することができる他、コレステリック液晶を低電圧で駆動することができる。
【図面の簡単な説明】
【図１】コレステリック液晶パネルについて説明するための図である。
【図２】コレステリック液晶パネルについて説明するための図である。
【図３】コレステリック液晶の状態と印加される両極性パルス電圧について説明する図である。
【図４】コレステリック液晶に対する駆動波形を示す図である。
【図５】従来の液晶駆動回路を示すブロック図である。
【図６】表示されるデータの例を示す図である。
【図７】図５の液晶駆動回路において、ロウ電極およびコラム電極に印加される電圧を示すタイミングチャートである。
【図８】図５の液晶駆動回路において、コレステリック液晶パネルの各画素の電極間に印加される両極性パルス電圧を示すタイミングチャートである。
【図９】本発明を適用した液晶駆動回路を示すブロック図である。
【図１０】図９の液晶駆動回路において、ロウ電極およびコラム電極に印加される電圧と、ＧＮＤレベルを示すタイミングチャートである。
【図１１】図９の液晶駆動回路において、コレステリック液晶パネルの各画素の電極間に印加される両極性パルス電圧を示すタイミングチャートである。
【図１２】図９の液晶駆動回路の処理を説明するためのフローチャートである。
【符号の説明】
１  コレステリック液晶パネル，  ４１  液晶駆動回路，  ５１  コントローラ，  ５２  コラムドライバ，  ５３  ロウドライバ，  ５４，５５  スイッチ
【図１】
0003705436.tif 000002
【図２】
0003705436.tif 000003
【図３】
0003705436.tif 000004
【図４】
0003705436.tif 000005
【図５】
0003705436.tif 000006
【図６】
0003705436.tif 000007
【図７】
0003705436.tif 000008
【図８】
0003705436.tif 000009
【図９】
0003705436.tif 000010
【図１０】
0003705436.tif 000011
【図１１】
0003705436.tif 000012
【図１２】
0003705436.tif 000013